(57)【特許請求の範囲】
【請求項１】
音情報を機械的振動に変換する受話用の骨伝導スピーカと、
集音穴を有する集音面が両面に設けられた指向性マイクロホンと、
少なくとも前記指向性マイクロホンを収納する筺体と、を備える骨伝導送受話装置であって、
前記筺体の内壁に、前記指向性マイクロホンを保持するための構造体が設けられ、
前記構造体は、
前記筺体内において、前記指向性マイクロホンが収納される収納空間と他の空間とを仕切るように形成され、かつ、前記筺体と同等以上の剛性を有し、
前記収納空間は、
前記筺体の対向する２つの内壁と前記構造体とによって形成され、
前記収納空間に前記指向性マイクロホンが収納された状態で、前記収納空間に前記指向性マイクロホンの各集音面が面する２つの小空間が形成され、
前記２つの小空間は、
前記指向性マイクロホンの集音穴が塞がれない程度に小さくなっており、
前記２つの小空間のうち、少なくとも一方に弾性部材が挿入されており、
前記弾性部材は、
前記構造体と前記筺体の内壁との隙間に当接している、
骨伝導送受話装置。
【請求項２】
前記弾性部材は、
前記指向性マイクロホンとともに、
前記筺体の対向する２つの内壁の間に挟み込まれていることを特徴とする請求項１に記載の骨伝導送受話装置。
【請求項３】
前記構造体は、
前記筺体の対向する２つの内壁壁各々に設けられた２つの円筒状リブであり、
前記収納空間は、前記２つの円筒状リブの勘合によって形成され、
勘合された円筒状リブの隙間には、接着剤が充填されていることを特徴とする請求項１又は２に記載の骨伝導送受話装置。
【請求項４】
前記収納空間を形成する前記筺体の対向する２つの内壁各々には、前記各小空間と外部とを連通する集音用の貫通穴が少なくとも１つ設けられ、
使用者側の壁の貫通穴については、前記収納空間を形成する前記筺体の壁面に対する開口率がほぼ５％で、かつ、総面積が前記指向性マイクロホンの対向する集音穴の総面積以上であり、
もう一方の壁の貫通穴については、前記収納空間を形成する前記筺体の壁面に対する開口率がほぼ１０％で、かつ、総面積が前記指向性マイクロホンの対向する集音穴の総面積以上であることを特徴とする請求項１〜３のいずれか一項に記載の骨伝導送受話装置。
【発明の詳細な説明】
【技術分野】
【０００１】
本発明は、音声や音楽等の音情報を機械的振動に変換する骨伝導スピーカと、特定方向に対して感度の高い指向性マイクロホンとを備える骨伝導送受話装置に関する。
【背景技術】
【０００２】
人間は、両耳に直接入ってくる「音」だけでなく、体内を伝達される振動によっても間接的に「音」を感知している。このような性質を利用して使用者に「音」を伝える装置の１つに、骨伝導スピーカがある。骨伝導スピーカは、音情報を機械的振動に変換して、その振動を人体頭部に伝える変換装置である。この機械的振動は、頭蓋骨を介して聴覚器官（蝸牛）に伝えられ、「音」として感知されるようになる。この骨伝導スピーカは、外耳、内耳などの伝音部に障害を持つ人に対しても、「音」を伝えることができるようになり、騒音環境下であっても、「音」が聞き取りやすくなるという利点を有している。
【０００３】
このような骨伝導スピーカを備える携帯電話等の骨伝導送受話装置が提案されている（例えば、特許文献１、２参照）。このような骨伝導送受話装置を用いれば、騒音環境下においても、通話相手からの音情報を正確に聞き取ることができるようになり、受話を確実なものとすることができる。しかしながら、騒音環境下で使用者が話した音をマイクロホンで拾って通話相手に伝えること、すなわち送話については、マイクロホンが周辺の騒音も拾ってしまうため、通話相手にとっては、使用者の音声が依然として聞き取りづらいものなっている。
【０００４】
そこで、送話用のマイクロホンとして、特定方向の音波に対して感度が高い指向性マイクロホンを用いることにより、騒音環境下における送話状態を改善する方法が提案されている（例えば、特許文献３参照）。指向性マイクロホンは、その指向性により、周囲の雑音を拾いにくくなっており、相対的に使用者の音声を強く拾うようになっているので、通信相手は、使用者の音声を聞き取りやすくなる。
【特許文献１】特開２００３−３４８２０８号公報
【特許文献２】特開２０００−３４１７７８号公報
【特許文献３】特開平１０−２９０４９１号公報
【発明の開示】
【発明が解決しようとする課題】
【０００５】
このように、携帯電話のマイクロホンとして指向性マイクロホンを用いれば、少なくとも、通話相手に送信される音声に含まれる周囲の騒音を低減して、快適に送受話を行うこことができる。しかしながら、受話用のスピーカとして骨伝導スピーカを用いた場合には、通常の携帯電話とは異なる不都合が生じる。
【０００６】
骨伝導スピーカは、一般の気導のスピーカと比べて、筺体に伝えられる機械的振動が桁違いに大きくなり、筺体内のマイクロホンの周辺にもその機械的振動が伝わるようになる。マイクロホンが、この筺体の機械的振動や、その振動によって発生する音波を「音」として拾ってしまうと、通話相手から送られてきた音情報が、そのまま通話相手のスピーカに戻る現象が発生する。このような現象をエコーバックという。
【０００７】
エコーバックを低減するため従来から様々な提案がなされている。例えば、マイクロホンの保持部材として軟質の防振構造体を用い、かつ、その構造体とマイクロホンとの接触面（保持面）をできるだけ小さくすることで、指向性マイクロホンに伝達される機械的振動を低減しようとする構造が採用されている。
【０００８】
しかしながら、上述したように、上記エコーバックは、マイクロホンに直接伝わる機械的振動だけではなく、その機械的振動が周囲の筺体を振動させて筺体内部に発生する音波によっても生じる。そして、本発明者の鋭意検討により、マイクロホンは、直接伝わる機械的振動に対する感度よりも、筺体内部に発生する音波に対する感度の方がはるかに大きいことが判明した。軟質の防振構造体を用い、保持面をできるだけ小さくした上記支持構造では、高周波の機械的振動がマイクロホンに直接伝わりにくくなるものの、マイクロホンの集音部の機密性は高くないため、筺体内部で発生した音波がマイクロホンの集音面周辺に回り込んでくるようになり、マイクロホンがその音を拾ってしまう。
【０００９】
さらに、マイクロホンが軟質の防振構造体で保持されていると、マイクロホンの集音面と、僅かな空間を隔てた筺体の内壁との間隔が、骨伝導スピーカからの機械的振動で相対的に変化するために、マイクロホンの集音面の空間で音圧が変化し、音波が発生するようになる。したがって、軟質の防振構造体を採用すると、却って、骨伝導スピーカの振動によって発生した音波が大きくなり、マイクロホンでその音を拾い易くなってしまう。
【００１０】
本発明は、このような課題に鑑みてなされたものであり、騒音環境下における送信性能の向上と、骨伝導スピーカの機械的振動に起因するエコーバックの低減とを実現し、快適な送受話を行うことができる骨伝導送受話装置を提供することを目的とする。
【課題を解決するための手段】
【００１１】
本発明に係る骨伝導送受話装置は、音情報を機械的振動に変換する受話用の骨伝導スピーカと、集音穴を有する集音面が両面に設けられた指向性マイクロホンと、少なくとも前記指向性マイクロホンを収納する筺体と、を備える骨伝導送受話装置であって、  前記筺体の内壁に、前記指向性マイクロホンを保持するための構造体が設けられ、前記構造体は、前記筺体内において、前記指向性マイクロホンが収納される収納空間と他の空間とを仕切るように形成され、かつ、前記筺体と同等以上の剛性を有する。
【００１２】
このように、送話用のマイクロホンとして、指向性マイクロホンを用いれば、使用者の音声を強く拾い、周囲の騒音を拾いにくくなるため、騒音環境での送話性能を向上させることができるようになる。そして、指向性マイクロホンが筺体と同等以上の剛性を有する構造体に保持されているため、筺体の内壁との間隔の変動が小さくなって、骨伝導スピーカの機械的振動による、指向性マイクロホンの収納空間の音波の発生が抑制される。さらに、マイクロホンの収納空間は、その構造体によって、筺体内の他の空間と仕切られ、他の空間と遮断されているため、他の空間で発生した音波が、マイクロホンの収納空間に伝わらないようになる。したがって、本発明の骨伝導送受話装置を用いれば、騒音環境下における送信性能の向上と、骨伝導スピーカの機械的振動に起因するエコーバックの低減とが実現され、騒音環境下においても快適な送受話を行うことができるようになる。
【００１３】
さらに、前記収納空間は、前記筺体の対向する２つの内壁と前記構造体とによって形成され、前記収納空間に前記指向性マイクロホンが収納された状態で、前記収納空間に前記指向性マイクロホンの各集音面が面する２つの小空間が形成され、前記２つの小空間は、前記指向性マイクロホンの集音穴が塞がれない程度に小さくなっていることとすることができる。
【００１４】
指向性マイクロホンでは、その集音面が両面に設けられており、両集音面の集音結果の差動で指向特性を得ている。したがって  送話用のマイクロホンとして指向性マイクロホンを用いた場合には、そのマイクロホンの支持構造を、骨伝導スピーカの機械的振動による音波の発生を抑制しつつ、周囲の音を両方の集音面で集音できる構造とする必要がある。収納空間に指向性マイクロホンが収納されることにより、収納空間に、指向性マイクロホンの各集音面が面する２つの小空間が形成されるが、本発明者による鋭意検討の結果、それら２つの小空間ができるだけ小さい方が、その集音面と筺体の内壁との間隔の相対的な変動が小さくなるので、骨伝導スピーカの機械的振動による、指向性マイクロホンの収納空間の音波の発生が抑制されることを突き止めた。ただし、２つの小空間において、指向性マイクロホンの集音穴が塞がれてしまうと、指向性マイクロホンの指向性が低下してしまうため、２つの小空間を、指向性マイクロホンの集音穴が塞がれない程度の大きさとした。
【００１５】
さらに、前記収納空間を形成する前記筺体の対向する２つの内壁各々には、前記各小空間と外部とを連通する集音用の貫通穴が少なくとも１つ設けられ、使用者側の壁の貫通穴については、前記収納空間を形成する前記筺体の壁面に対する開口率がほぼ５％で、かつ、総面積が前記指向性マイクロホンの対向する集音穴の総面積以上であり、もう一方の壁の貫通穴については、前記収納空間を形成する前記筺体の壁面に対する開口率がほぼ１０％で、かつ、総面積が前記指向性マイクロホンの対向する集音穴の総面積以上であることとすることができる。
【００１６】
本発明者は、鋭意検討の結果、使用者側の筺体内壁の集音用の貫通穴については、筺体の壁面に対する開口率をほぼ５％とし、面積を指向性マイクロホンの集音穴の総面積以上とし、もう一方の壁の貫通穴については、筺体の壁面に対する開口率をほぼ１０％とし、面積を指向性マイクロホンの集音穴の総面積以上とするのが、指向性マイクロホンの保護の観点や、指向性マイクロホンの指向性の維持の観点から最適であることを突き止めた。
【００１７】
さらに、前記２つの小空間のうち、少なくとも一方に弾性部材が挿入されていることとすることができる。このようにすれば、その弾性部材により、２つの小空間のうちの一方が小さくなるため、骨伝導スピーカの機械的振動による、小空間における音波の発生がさらに抑制されるようになる。
【００１８】
さらに、前記弾性部材と前記指向性マイクロホンとが、前記筺体の対向する２つの内壁の間に挟み込まれるように配置されることとすることができる。このようにすれば、指向性マイクロホンが弾性部材と一体となって筺体間で高い剛性の下で保持されるようになるので、指向性マイクロホンの集音面と筺体の内壁との間隔の相対的変動が小さくなって、小空間における骨伝導スピーカの機械的振動による音波の発生が抑制される。
【００１９】
さらに、前記弾性部材は、前記構造体と前記筺体の内壁との隙間に当接することとすることができる。このようにすれば、指向性マイクロホンの収納空間の気密性を高めることができるので、筺体内の他の空間で発生した音波が指向性マイクロホンの集音面周辺に回り込んでくるのを防止することができる。
【００２０】
さらに、前記構造体は、前記筺体の対向する２つの内壁壁各々に設けられた２つの円筒状リブであり、前記収納空間は、前記２つの円筒状リブの勘合によって形成され、勘合された円筒状リブの隙間には、接着剤が充填されていることとすることができる。このようにすれば、指向性マイクロホンの収納空間の気密性をさらに高くすることができるようになるので、筺体内の他の空間で発生した音波が指向性マイクロホンの集音面周辺に回り込んでくるのを防止することができる。また、指向性マイクロホンの支持構造全体の剛性を高くすることができるようになるので、指向性マイクロホンの集音面と筺体の内壁との間隔の変動が小さくなるため、指向性マイクロホンの収納空間における、機械的振動による音波の発生が抑制される。
【発明の効果】
【００２１】
本発明に係る骨伝導送受話装置では、指向性マイクロホンの収納空間が密閉されるので、筺体内の他の空間から、指向性マイクロホンの収納空間に、骨伝導スピーカの機械的振動により発生する音波が他の空間から回り込んでくるのが防止される。また、指向性マイクロホンは、構造体等により高剛性に保持され、その収納空間はできるだけ小さくなるように構成されているので、指向性マイクロホンの収納空間における、骨伝導スピーカの機械的振動による音波の発生が抑制される。さらに、指向性マイクロホンの指向性を低下させないように、筺体に音波取り込み用穴が設けられているので、指向性マイクロホンを用いることによる、騒音環境下での送話性能の向上も担保される。このように、本発明の骨伝導送受話装置を用いれば、騒音環境下でも、エコーバックを低減し、快適な送受話環境を実現することができる。
【発明を実施するための最良の形態】
【００２２】
以下、本発明に係る骨伝導送受話装置の実施の形態について、図面を参照しながら詳細に説明する。この骨伝導送受話装置は、音声や音楽等の音情報を機械的振動に変換する骨伝導スピーカと、特定の方向に対して感度の高い指向性マイクロホンを備えている。この装置では、骨伝導スピーカを用いて受話が行われ、指向性マイクロホンを用いて送話が行われる。骨伝導スピーカは、上位機器から送られる音情報を含む電気信号を機械的振動に変換する。指向性マイクロホンは、使用者の音声などの周囲の音を集音し、その音声を電気信号に変換して、上位機器に送っている。指向性マイクロホンは、両面から周囲の音を集音し、各面の集音結果の差分によって指向性を得ている。本発明の実施の形態に係る骨伝導送受話装置は、指向性マイクロホンが骨伝導スピーカの機械的振動によって筺体内に発生する音波を拾ってしまい、エコーバックが発生するのを防止している。
【００２３】
図１には、本実施の形態に係る骨伝導送受話装置１の全体構成を説明するための斜視図が示されている。本実施形態に係る骨伝導送受話装置１は、所定の無線通信の規格に準拠しており、不図示の携帯電話機と無線通信を行いつつ、その携帯電話機の子機として動作するものである。本実施形態では、骨伝導送受話装置１は、例えば、Ｂｌｕｅｔｏｏｔｈ（登録商標）規格に準拠しているものとする。
【００２４】
図１に示されるように、骨伝導送受話装置１は、骨伝導スピーカ２と、通話ボタン３と、音量切替スイッチ４と、発光ダイオード（以下、「ＬＥＤ」と略述する）５と、本体ケース８と、フリップ９と、を備えている。
【００２５】
骨伝導スピーカ２は、携帯電話機から送られてきた無線信号を機械的振動に変換する。通話ボタン３は、骨伝導送受話装置１の通話開始や通話終了などの操作入力を受け付けるボタンである。音量切替スイッチ４は、骨伝導スピーカ２の音量を調整するための操作スイッチである。ＬＥＤ５は、使用者に装置の状態を報知するために設けられている。ＬＥＤ５は、例えば、着信などがあったときに点滅し、その旨を使用者に報知する。
【００２６】
本体ケース８は、骨伝導送受話装置１の筺体である。この本体ケース８に、骨伝導スピーカ３と、通話ボタン４と、音量切替スイッチ４と、ＬＥＤ５とが埋め込まれている。なお、図示しないが、本体ケース８は、無線通信等を制御する回路基板や、使用するマイクロホンを、指向性マイクロホン６と無指向性マイクロホン７とのいずれかに切り替えるスイッチ類等も収納し、これらを保持している。
【００２７】
フリップ９は、本体ケース８の一部であるヒンジ部１０を介して、本体ケース８と接続された、本体ケース８とは別の筺体である。ヒンジ部１０は、フリップ９を本体ケース８に回動可能に軸支している。骨伝導送受話装置１を使用していないときは、フリップ９は、
通話ボタン３やＬＥＤ５が配設された本体ケース８の凹部に収納されているが、使用時には、ヒンジ部１０を中心に回動され、図１に示されるような位置に移動した状態となる。フリップ９内には、後述するように、指向性マイクロホン６や、無指向性マイクロホン７などが収納されている。
【００２８】
なお、本実施形態に係る骨伝導送受話装置１は、骨伝送スピーカ２が使用者の耳付近に当接され、フリップ９が使用者の口元付近に位置する状態で、使用されるのが一般的である。
【００２９】
次に、フリップ９の内部構造について説明する。図２〜図７には、フリップ９の内部構造が示されている。図２には、フリップ９内部の分解斜視図が示されている。図３には、フリップ９内部の断面図が示されている。図４には、フリップ９を構成するフリップ上１１の内側を説明するための斜視図が示され、図５には、フリップ上１１の内側を説明するための平面図が示されている。図６には、フリップ９を構成するフリップ下１２の内側を説明するための斜視図が示されている。図７には、図６の断面図のうち、指向性マイクロホン６の保持部分付近を拡大した断面図が示されている。
【００３０】
図２に示されるように、フリップ９は、筺体のとしてのフリップ上１１とフリップ下１２とを備えており、これら２つによって、フリップ９が形成される。使用時には、フリップ上１１が使用者側を向くようになり、フリップ下１２がその逆を向くようになる。フリップ上１１とフリップ下１２とで形成されるフリップ９内には、図２、図３に示されるように、指向性マイクロホン６と、無指向性マイクロホン７と、２枚の防塵シート１３と、密着用ゴム１４と、アンテナ実装基板１５と、フリップストッパ１６と、が収納されるようになる。
【００３１】
指向性マイクロホン６および無指向性マイクロホン７は、使用者の音声をピックアップする。両者は切り替えられて使用される。図２に示されるように、指向性マイクロホン６は円板状であり、両円形面に集音穴が形成され、両面が集音面となっている。なお、図示はしていないが、指向性マイクロホン６では、フリップ上１１側の面に、直径約０．４ｍｍの集音穴が１３個設けられており、フリップ下１２側の面に、直径約０．６ｍｍの集音穴が２個設けられている。なお、無指向性マイクロホン７も円板状であり、その集音面は、フリップ上１１側の円形面だけに設けられている。
【００３２】
防塵シート１３は、外部から混入する塵などの異物から、指向性マイクロホン６を保護するためのものである。密着用ゴム１４は、指向性マイクロホン６を保持するための弾性部材である。アンテナ実装基板１５は、無線通信、例えばＢｌｕｅｔｏｏｔｈ通信用のアンテナが実装された基板である。フリップストッパ１６は、フリップ９を閉じたときに、本体ケース８との衝突音を緩和するための緩衝剤である。
【００３３】
さらに、図４、図５に示されるように、フリップ上１１の内壁には、指向性マイクロホン６、無指向性マイクロホン７を保持するための構造体としての円筒状リブ１１ｃ、円筒状リブ１１ｄが設けられ、図６に示されるように、フリップ下１２の内壁には、指向性マイクロホン６を保持するための円筒状リブ１２ｂが設けられている。図７に示されるように、指向性マイクロホン６は、円筒状リブ１１ｃと、円筒状リブ１２ｂと、フリップ上１１の内壁と、フリップ下１２の内壁とによって形成される円筒空間に収納される。また、無指向性マイクロホン７は、フリップ上１１の円筒状リブ１１ｂによって形成される円筒空間に収納される。
【００３４】
すなわち、円筒状リブ１１ｃと、円筒状リブ１２ｂと、フリップ上１１、フリップ下１２とによって形成される円筒空間が、指向性マイクロホン６の収納空間である。図７には、この収納空間２１（後述する小空間２６、２７を含む空間）が示されている。図７では、この収納空間２１以外のフリップ９内の空間であるフリップ内空間２２も示されている。図７に示されるように、円筒状リブ１１ｃと、円筒状リブ１２ｂとの勘合によって、収納空間２１が形成され、収納空間２１とフリップ内空間２２とが、仕切られるようになっている。収納空間２１とフリップ内空間２２との間では、通気がないため、相互の音波の伝搬が防止されている。したがって、骨伝導スピーカ２の機械的振動がフリップ９に伝わることにより、フリップ内空間２２で発生した音波が、収納空間２１に伝わって指向性マイクロホン６で拾われるのが防止されている。
【００３５】
円筒状リブ１１ｃは、フリップ上１１と一体的に形成されており、円筒状リブ１２ｂは、フリップ下１２と一体的に形成されている。したがって、円筒状リブ１１ｃ、１２ｂは、フリップ上１１、フリップ下１２と同等以上の剛性を有している。図７に示されるように、指向性マイクロホン６は、円筒状リブ１１ｃにフィットするように嵌めこまれており、フリップ９と同等以上の剛性を有する円筒状リブ１１ｃによって保持されるようになる。このように、指向性マイクロホン６を高い剛性の保持部材で保持すれば、骨伝導スピーカ２の機械的振動がフリップ上１１、フリップ下１２の内壁に伝えられたとしても、指向性マイクロホン６の集音面と、フリップ上１１、フリップ下１２の内壁との間隔の相対的変動が小さくなる。
【００３６】
また、図７に示されるように、収納空間２１に指向性マイクロホン６が収納されると、収納空間２１内に、指向性マイクロホン６の各集音面が面する２つの小空間２６、２７が形成されるようになる。２つの小空間２６、２７はできるだけ小さければ小さいほど、指向性マイクロホン６の集音面と、フリップ上１１内壁、フリップ下１２の内壁との間隔の相対的な変動が小さくなるので、骨伝導スピーカ２の機械的振動による、指向性マイクロホン６の収納空間の音波の発生が抑制される。ただし、小空間２６、２７において、指向性マイクロホン６の集音穴がふさがれてしまうと、指向性マイクロホン６の指向性が低下してしまうため、小空間２６、２７を、指向性マイクロホン６の集音穴が塞がれない程度の大きさとする必要はある。
【００３７】
以上述べたような指向性マイクロホン６の支持構造により、骨伝導スピーカ２の機械的振動に起因してフリップ内空間２２に発生した音波は、指向性マイクロホン６の集音面まで到達せず、収納空間２１（小空間２６、２７）での音波の発生も抑制されるため、エコーバックの発生を防止することができるようになる。
【００３８】
また、図４、図５に示されるように、円筒状リブ１１ｃとともに収納空間２１を形成するフリップ上１１の内壁の略中央部には、貫通穴である音波取り込み用穴１１ａが設けられている。また、フリップ上１１の内壁であって、円筒状リブ１１ｄが形成された部分の略中央部には、貫通穴である音波取り込み用穴１１ｂが設けられている。音波取り込み用穴１１ａは、指向性マイクロホン６用の取り込み穴であり、音波取り込み用穴１１ｂは、無指向性マイクロホン７用の取り込み穴である。また、図６に示されるように、円筒状リブ１２ａとともに収納空間２１を形成するフリップ下１２の内壁の略中央部には、貫通穴である音波取り込み用穴１２ａが４つ設けられている。４つの音波取り込み用穴１２ａは、指向性マイクロホン６用の取り込み穴である。
【００３９】
指向性マイクロホン６では、指向性を得るために、その両集音面から音波を取り入れる必要があるので、フリップ上１１に音波取り込み用穴１１ａが設けられ、フリップ下１２に音波取り込み用穴１２ａが設けられている。なお、音波取り込み用穴１１ａ、１２ａとしては、直径が１．４ｍｍであり、面積が約１．５平方ｍｍであり、音波取り込み用穴１２ａとしては、直径が１ｍｍであり、４つの合計面積は、約３平方ｍｍとなっている。音波取り込み用穴１１ａの面積は、指向性マイクロホン６のフリップ上１１側の集音穴の総面積より大きくなっており、音波取り込み用穴１２ａの総面積は、指向性マイクロホン６のフリップ下１２側の集音穴の総面積より大きくなっている。
【００４０】
また、指向性マイクロホン６の集音面は、直径が約５．８ｍｍとなっており、面積が約２６平方ｍｍとなっている。したがって、収納空間を構成するフリップ上１１の内壁部分に対する、音波取り込み用穴１１ａの開口率は、ほぼ５％となっており、収納空間を構成するフリップ下１２の内壁部分に対する、音波取り込み用穴１２ａの開口率は、ほぼ１０％となっている。
【００４１】
指向性マイクロホン６の指向性を適切に維持するためには、指向性マイクロホン６の両集音面に配置された集音穴に取り込まれる音波のバランスを考慮する必要がある。音波を効率良く受信するためには、指向性マイクロホン６の周囲に、音波の受信の障害となる部材（すなわち、フリップ上１１やフリップ下１２）が存在しないのが理想であるが、外観デザイン、製造コスト、又は外部から加えられる圧力、衝撃などから指向性マイクロホン６を保護する必要があることなどを考慮すると、指向性マイクロホン６の周囲には、外壁及びその支持構造を設けざるを得ない。また、指向性を良くするためには、音波取り込み用穴１１ａ、１２ａの開口率を大きいのが望ましいが、指向性マイクロホン６の保護のためには、音波取り込み用穴１１ａ、１２ａを、小さくする必要がある。これらの相反する条件を考慮した結果、上述したような指向性マイクロホン６の小空間２６、２７の大きさや、音波取り込み用穴１１ａ、１２ａの上記面積及び上記開口率が採用された。
【００４２】
すなわち、フリップ上１１、フリップ下１２の内壁から指向性マイクロホン６の集音面までの間隔と、音波取り込み用穴の面積や開口率の設計条件として現実的に設定可能な条件の中から、指向性マイクロホン６の指向性を大きく劣化させず、かつ、指向性マイクロホン６を有効に保護できる最適な条件として、小空間２６、２７を、指向性マイクロホン６の両集音面上の集音穴を塞がない程度の小ささとし、音波取り込み用穴１１ａ、１２ａの総面積を、同じ側の指向性マイクロホン６の集音用穴の総面積より下回らないようにし、音波取り込み用穴１１ａ、１２ａの開口率を、フリップ上１１側で略５％、フリップ下１２側で略１０％とするという条件が選択されたのである。
【００４３】
また、図７に示されるように、小空間２７には、密着用ゴム１４が挿入されている。このようにすれば、小空間２７をさらに小さくすることができるようになるため、骨伝導スピーカ２の機械的振動による、指向性マイクロホン６の小空間２７内の音波の発生が抑制されるようになる。
【００４４】
また、図７に示されるように、円筒状リブ１１ｃ、１２ｂ内で、フリップ上１１の内壁と、フリップ下１２の内壁との間には、密着ゴム１４と、指向性マイクロホン６と、防塵シート１３とが挟み込まれるように配置されている。このようにすれば、密着用ゴム１４は押し潰された状態になり、その反力で指向性マイクロホン６がフリップ上１１に押し付けられるようになる。これにより、指向性マイクロホン６は、フリップ上１１と一体となって高い剛性の下で保持されるようになるので、指向性マイクロホン６の集音面とフリップ上１１の内壁との間隔の変動が小さくなるため、骨伝導スピーカ２の機械的振動による、小空間２６の音波の発生が抑制される。
【００４５】
さらに、図７には、勘合された円筒状リブ１１ｃと円筒状リブ１２ｂとの間や、リードワイヤ取り出し口の周囲の隙間１７が示されている。密着ゴム１４は、円筒状リブ１１ｃとフリップ下１２の内壁との隙間１７に当接している。このようにすれば、小空間２７の気密性をさらに高めることができるので、フリップ内空間２２で発生した音波が指向性マイクロホン６の集音面周辺に回り込んでくるのを防止することができる。
【００４６】
なお、図４、図５に示されるように、円筒状リブ１１ｃには、リードワイヤ取り出し用切り欠き１１ｅが設けられ、図６に示されるように、円筒状リブ１２ｂには、リードワイヤ取り出し用切り欠き１２ｃが設けられている。指向性マイクロホン６のリードワイヤ２５（図２参照）は、フリップ上１１及びフリップ下１２に設けられたリードワイヤ取り出し用切り欠き１１ｅ、１２ｃ、密着用ゴム１４に設けられた切り欠き溝（不図示）などで構成されるリードワイヤ取り出し口から取り出されている。
【００４７】
この隙間１７には接着剤が挿入される。このようにすれば、指向性マイクロホン６の収納空間２１の気密性をさらに高くすることができるようになるので、フリップ内空間２２で発生した音波が指向性マイクロホン６の集音面周辺に回り込んでくるのを防止することができる。また、隙間１７に接着剤を挿入することにより、指向性マイクロホン６の支持構造全体の剛性を高くすることができるようになるので、指向性マイクロホン６とフリップ上１１、フリップ下１２の内壁との間隔の相対的変動が小さくなるため、指向性マイクロホン６の収納空間における、機械的振動による音波の発生が抑制される。
【００４８】
以上詳細に説明したように、送話用のマイクロホンとして、指向性マイクロホン６を用いれば、使用者の音声を強く拾い、周囲の騒音を拾いにくくなるため、騒音環境での送話性能を向上させることができるようになる。また、指向性マイクロホン６はフリップ９と同等以上の剛性を有する円筒状リブ１１ｃ等に保持されているため、指向性マイクロホン６の集音面とフリップ上１１、フリップ下１２の内壁との間隔の変動が小さくなって、それらの機械的振動による音波の発生が抑制される。さらに、指向性マイクロホン６の収納空間２１は、その円筒状リブ１１ｃ等によって、フリップ内空間２２と仕切られているため、フリップ内空間２２で発生した音波が、指向性マイクロホン６の収納空間２１に伝わらないようになる。したがって、本実施形態に係る骨伝導送受話装置１を用いれば、骨伝導スピーカ２の機械的振動によるエコーバックが低減され、騒音環境下においても快適な送受話を行うことができるようになる。
【００４９】
本実施形態に係る骨伝導送受話装置１を用いれば、外耳、内耳の伝音部に障害を持つ人ばかりでなく、工事現場、駅のホームなどの騒音環境下での利用などにも効果大である。
【００５０】
なお、本実施形態では、音波取り込み用穴１１ａの面積を、指向性マイクロホン６の同じ側の集音穴の総面積よりも大きくしたが、音波取り込み用穴１１ａの面積が、指向性マイクロホン６の同じ側の集音穴の総面積を下回らなければよい。また、音波取り込み用穴１２ａの総面積を、指向性マイクロホン６の同じ側の集音穴の総面積よりも大きくしたが、音波取り込み用穴１２ａの総面積が、指向性マイクロホン６の同じ側の集音穴の総面積を下回らなければよい。
【００５１】
なお、本実施形態では、指向性マイクロホン６のみを密閉した収納空間２１に収納するものとしたが、無指向性マイクロホン７についても、同様の密閉空間に収納するようにしてもよいのは勿論である。
【００５２】
また、本実施形態では、骨伝導送受話装置１を携帯電話機の子機としたが、本発明はこれには限られず、骨伝送送受話装置１を固定電話の子機としてもよいし、それ自体が携帯電話機、トランシーバであってもよい。また、骨伝送送受話装置は、有線で上位装置と接続されていてもよく、固定電話の受話器であってもよい。
【００５３】
また、本実施形態では、円板状の指向性マイクロホン６を採用したため、それを保持する構造体としてのリブを円筒形状としたが、このリブ（構造体）の形状は、指向性マイクロホン６の形状によって適宜変更することができるのは勿論である。例えば、指向性マイクロホンが矩形板状であれば、リブの形状も矩形枠状とすればよい。
【図面の簡単な説明】
【００５４】
【図１】本発明の実施の形態に係る骨伝導送受話装置の斜視図である。
【図２】図１のフリップの分解斜視図である。
【図３】図１のフリップの断面図である。
【図４】図２のフリップ上の内側を示す斜視図である。
【図５】図２のフリップ上の内側を示す平面図である。
【図６】図２のフリップ下の内側を示す斜視図である。
【図７】指向性マイクロホンの保持部分付近のフリップの拡大断面図である。
【符号の説明】
【００５５】
１  骨伝導送受話装置
２  骨伝導スピーカ
３  通話ボタン
４  音量切替スイッチ
５  ＬＥＤ
６  指向性マイクロホン
７  無指向性マイクロホン
８  本体ケース
９  フリップ
１０  ヒンジ部
１１  フリップ上
１２  フリップ下
１１ａ、１１ｂ、１２ａ  音波取り込み用穴
１１ｃ、１１ｄ、１２ｂ  円筒状リブ
１１ｅ、１２ｃ  リードワイヤ取り出し用切り欠き
１３  防塵シート
１４  密着用ゴム
１５  アンテナ実装基板
１６  フリップストッパ
１７  隙間
２１  収納空間
２２  フリップ内空間
２５  リードワイヤ
２６、２７  小空間
【図１】
0005184021.tif 000002
【図２】
0005184021.tif 000003
【図３】
0005184021.tif 000004
【図４】
0005184021.tif 000005
【図５】
0005184021.tif 000006
【図６】
0005184021.tif 000007
【図７】
0005184021.tif 000008